(57)【要約】      （修正有）【課題】衣類又は衣料品を保持するためのホルダーにおいて、長期保管時の不快臭をなくするプラグイン・モジュール及びホルダーを提供する。【解決手段】衣服又は衣料品を保持するためのホルダーであり、ホルダーは、衣料品を支持するための本体と、芳香トリートメント物質を携帯するプラグイン・モジュール１６０とからなる。芳香トリートメント物質は芳香を発散するか又は悪臭を吸着するのに適している。プラグイン・モジュールは周囲に芳香を発散させるのに、又は周囲環境から悪臭を吸着するのに適している。【選択図】図２
0003188800.tif 000002
【実用新案登録請求の範囲】
【請求項１】
衣料品を支持するための本体と、芳香トリートメント物質を携帯するプラグイン・モジュールとからなり、
前記芳香トリートメント物質は芳香を発散するか又は悪臭を吸着するのに適合しており、
前記プラグイン・モジュールは周囲に芳香を発散させるのに、又は周囲環境から悪臭を吸着するのに適合している、
ことを特徴とする衣服又は衣料品を保持するためのホルダー。
【請求項２】
前記本体はレセプタクルを有し、前記レセプタクルは前記プラグイン・モジュールを着脱可能に収容するためのウインドウ・コンパートメントを有する、
ことを特徴とする請求項１記載のホルダー。
【請求項３】
前記ウインドウ・コンパートメントは前記本体を通して延びており、前記レセプタクルは、前記プラグイン・モジュールがレセプタクルにより収容されたときに、プラグイン・モジュールの背中合わせの主要面が外方向に対面するように構成されており、前記背中合わせの主要面は、プラグイン・モジュールから芳香が発散される面又はプラグイン・モジュールにより悪臭が吸着される面である、
ことを特徴とする請求項２記載のホルダー。
【請求項４】
前記プラグイン・モジュールは、芳香トリートメント物質が内部に格納されるコンテナを有し、芳香発散又は悪臭吸着を可能にするために、前記コンテナの少なくとも一つの外方向に対面する主要面が穿孔されている、
ことを特徴とする請求項１?３の何れかに記載のホルダー。
【請求項５】
前記プラグイン・モジュールの背中合わせに対面する主要面が穿孔されている、
ことを特徴とする請求項４記載のホルダー。
【請求項６】
前記芳香物質が固形又は半固形ゲル、ワックス若しくはパッド形である、
ことを特徴とする請求項４又は５記載のホルダー。
【請求項７】
前記本体及びプラグイン・モジュールは対応する停止部を有し、前記対応する停止部は、前記本体に対するプラグイン深さを制限するために相互作用するように構成されている、
ことを特徴とする請求項１?６の何れかに記載のホルダー。
【請求項８】
前記プラグイン・モジュールは有蓋コンテナと第１の停止部を有し、前記第１の停止部は、前記コンテナの蓋から離れて横方向に突き出ているタブを有する、
ことを特徴とする請求項７記載のホルダー。
【請求項９】
前記有蓋コンテナはヒンジを有し、前記蓋は前記ヒンジの周囲を開状態と閉状態との間で稼働可能であり、前記ヒンジはコンテナから離れて横方向に突き出ており、前記プラグイン・モジュールの第２の停止部を形成する、
ことを特徴とする請求項８記載のホルダー。
【請求項１０】
前記ヒンジは細長く、かつ、前記コンテナに一体的に成型されている、
ことを特徴とする請求項９記載のホルダー。
【請求項１１】
前記本体上の停止部は湾入され、かつ、凹所を画成し、前記凹所はプラグイン・モジュール上の停止部を相補的に収容するように造形されている、
ことを特徴とする請求項７?１０の何れかに記載のホルダー。
【請求項１２】
前記凹所の深さは、プラグイン・モジュールがレセプタクルにより収容されたときに、プラグイン・モジュールの停止部が本体の面と面一であるか又はそれよりも低いような深さである、
ことを特徴とする請求項１１記載のホルダー。
【請求項１３】
前記本体の停止部はレセプタクルのウインドウ・コンパートメントと連通しており、かつ、ウインドウ・コンパートメントから横方向に延びている
ことを特徴とする請求項１０又は１１記載のホルダー。
【請求項１４】
前記レセプタクルのウインドウ・コンパートメントは前記プラグイン・モジュールを摩擦力で保持するのに適合する、
ことを特徴とする請求項１?１３の何れかに記載のホルダー。
【請求項１５】
前記ウインドウ・コンパートメントは周壁により画成され、前記周壁は、前記プラグイン・モジュールを摩擦力で保持するための軟質の摩擦性材料で塗布又は被覆されている、
ことを特徴とする請求項１４記載のホルダー。
【請求項１６】
前記プラグイン・モジュールはカプセルとして配置され、前記カプセルは芳香発散物質又は悪臭吸着物質を携帯するのに適合する、
ことを特徴とする請求項１?１５の何れかに記載のホルダー。
【請求項１７】
前記ホルダーは、バーにハンガーを引っ掛けるためのフックと、衣料品を保持するための一対の横翼とからなる衣服ハンガーである、
ことを特徴とする請求項１?１６の何れかに記載のホルダー。
【請求項１８】
前記レセプタクルは前記フックの直下部、及び横翼の中間部に配置されている、
ことを特徴とする請求項１７記載のホルダー。
【請求項１９】
前記レセプタクルは本体の対称軸上又は重心上に配置されている、
ことを特徴とする請求項１７又は１８記載のホルダー。
【請求項２０】
衣服ハンガー又は衣料品ホルダーと共に使用するための芳香トリートメント物質を携帯するプラグイン・モジュールであり、前記プラグイン・モジュールは前記衣服ハンガー又は衣料品ホルダーのレセプタクルにスナップ嵌め取付するのに適合する、
ことを特徴とするプラグイン・モジュール。
【請求項２１】
停止部がプラグイン・モジュールに形成されており、前記停止部は、レセプタクルへの移動深さを制限するために、前記衣服ハンガー又は衣料品ホルダーのレセプタクルの対応する停止部と相互作用するのに適合する、
ことを特徴とする請求項２０記載のプラグイン・モジュール。
【請求項２２】
前記停止部のうちの一つは、プラグイン・モジュールがレセプタクルに実装されたときに、レセプタクルからのプラグイン・モジュールの除去を容易にするために、使用者の指先を係合させるのに適合するタブである、
ことを特徴とする請求項２１記載のプラグイン・モジュール。
【請求項２３】
前記停止部のうちの一つは、プラグイン・モジュール上の細長いヒンジである、
ことを特徴とする請求項２１又は２２記載のプラグイン・モジュール。
【請求項２４】
前記プラグイン・モジュールは芳香トリートメント物質が充填されたコンテナを有し、前記コンテナは、周囲に芳香を発散させるため、又は周囲から悪臭を吸着するために穿孔されている、
ことを特徴とする請求項２０?２３の何れかに記載のプラグイン・モジュール。
【請求項２５】
前記コンテナは有蓋であり、指先係合タブは前記蓋の側端に形成されている、
ことを特徴とする請求項２３又は２４記載のプラグイン・モジュール。
【考案の詳細な説明】
【技術分野】
【０００１】
本考案はホルダーに関する。更に詳細には、本考案は衣服用ラック又は衣服ハンガーなどのような衣服用又は衣料品用ホルダーに関する。
【背景技術】
【０００２】
衣服又は衣料品のような品物を吊したり又は支持するためにホルダーが広く使用されている。衣服は使用しない場合、一般的に、ワードローブ又はクローゼットなどのような閉鎖環境内に保管される。保管が長期間に及ぶにつれて、衣服は不快臭を吸着し、あるいは、保管前に既に衣服に吸着された不快臭は消散されない。
【考案の概要】
【考案が解決しようとする課題】
【０００３】
従って、本考案の目的は、前記のような問題点を解決できる新規な衣服又は衣料品を保持するためのホルダーを提供することである。
【課題を解決するための手段】
【０００４】
前記課題を解決するための手段として、本考案は、衣料品を支持するための本体と、芳香トリートメント物質を携帯するプラグイン・モジュールとからなる衣料品ホルダーを提供する。
【０００５】
芳香トリートメント物質は芳香を発散するか又は悪臭を吸着するのに適した物質であり、プラグイン・モジュールは周囲に芳香を発散させるのに、又は周囲環境から悪臭を吸着するのに適している。本考案のホルダーの効果は、(1)衣料品に付着した又は閉鎖保管環境内に滞留している強烈な残留臭を軽減できること、又は(2)良好な芳香を衣料品に付与できることである。
【０００６】
本体はプラグイン・モジュールを着脱可能に収容するためのウインドウ・コンパートメントを画成するレセプタクルを有する。このような構成により、ホルダーの有効寿命を延長させる必要性に応じてプラグイン・モジュールの除去又は交換が可能となる。
【０００７】
ウインドウ・コンパートメントは本体全体に延びており、レセプタクルは、プラグイン・モジュールがレセプタクルにより収容される場合、プラグイン・モジュールの反対側主要面が外方向に向かって対面するように構成されており、反対側主要面は芳香がプラグイン・モジュールから発散されるか又は悪臭がプラグイン・モジュールにより吸着される面である。
【０００８】
この構成は、芳香発散又は悪臭吸着の効果を高める。
【０００９】
プラグイン・モジュールは、内部に芳香トリートメント物質を格納するコンテナを有することができる。芳香発散又は悪臭吸着を可能にするため、コンテナの少なくとも一つの外方向に対面した主要面は穿孔されている。この構成により、芳香トリートメント物質の補充又は交換が可能となる。プラグイン・モジュールの反対側に対面する主要面も穿孔することができる。
【００１０】
穿孔は芳香トリートメント効果を高める。漏洩又は漏出を軽減するために、芳香物質は固形又は半固形ゲル、ワックス又はパッドなどのような形状であることができる。
【００１１】
例えば、本体及びプラグイン・モジュールは対応停止部を有することができる。対応停止部は、本体に対するプラグイン深さを制限するために相互作用するように構成されている。（好ましくは、相補的な形状に造形されている）対応停止部は、使用者により挿入されたときに、本体に対して心合わせされた位置にプラグイン・モジュールを配置させるように機能する。心合わせされた位置は好ましくは、プラグイン・モジュールが本体から突き出ない又は飛び出さないように構成されている。
【００１２】
プラグイン・モジュールは有蓋コンテナ及び第1の停止部部分を有する。第1の停止部部分は、コンテナの蓋から離れた横方向に突出するタブからなる。停止部としてのタブも、必要な時にプラグイン・モジュールの交換を容易にするための指先係合手段としての第2の機能も果たす。
【００１３】
有蓋コンテナはヒンジを有する。従って、蓋はヒンジの周囲の開位置及び閉位置との間を可動できる。ヒンジはコンテナから離れるように横方向に突出しており、プラグイン・モジュールの第2の停止部部分を形成する。ヒンジは好ましくは横長であり、更に好ましくはコンテナに一体的に成形されており、蓋とコンテナ本体との間の蝶番接続として機能する他、停止部としての第2の機能も果たす。この二重機能を有する停止手段は、コスト低減ばかりでなく、プラグイン・モジュールの更なる小型化を助長する。
【００１４】
本体上の停止部を湾入させ、その結果、凹所を画成することができる。凹所はプラグイン・モジュール上の停止部を相補的に収容するように造形されている。例えば、ウインドウ・コンパートメントの周壁は、プラグイン・モジュールを摩擦力で保持するための軟質な摩擦材料を塗布又は被覆することもできる。
【００１５】
前記課題を解決するための手段として、本考案は、衣服ハンガー又は衣料品ホルダーと共に使用される芳香トリートメント物質を携帯するプラグイン・モジュールを提供する。このプラグイン・モジュールは衣服ハンガー又は衣料品ホルダー上のレセプタクルへのスナップ嵌め取付に適合されている。
【００１６】
停止部をプラグイン・モジュール上に形成することができる。この停止部は、レセプタクルへの移動深さを制限するために、衣服ハンガー又は衣料品ホルダー上のレセプタクルの対応する停止部と相互作用するように適合されている。
【００１７】
停止部のうちの一方は、レセプタクルに取り付けられた時にレセプタクルからのプラグイン・モジュールの除去を容易にするため、ユーザ（使用者）の指先を係合させるのに適したタブであることもできる。
【００１８】
停止部のうちの一方は、プラグイン・モジュール上の細長いヒンジであることもできる。
【００１９】
プラグイン・モジュールは芳香トリートメント物質が充填されたコンテナを有することもできる。周囲に芳香を発散させるため、又は、周囲から悪臭を吸着するために、このコンテナは穿孔されている。
【００２０】
このコンテナは有蓋であることもできる。また、指先係合用タブは蓋の横端に形成させることもできる。
【図面の簡単な説明】
【００２１】
【図１】本考案の衣料品ホルダーの一例の衣服ハンガーの概要斜視図である。
【図２】図１に示された衣服ハンガーからプラグイン・モジュールが取り外された状態の概要斜視図である。
【図２Ａ】図２の衣服ハンガーの中央部とプラグイン・モジュールの部分概要斜視図である。
【図３】プラグイン・モジュールの第１の斜視図である。
【図３Ａ】プラグイン・モジュールの第２の斜視図である。
【図４】蓋が開放された状態のプラグイン・モジュールの第１の斜視図である。
【図４Ａ】蓋が開放された状態のプラグイン・モジュールの第２の斜視図である。
【図４Ｂ】芳香発散物質又は悪臭吸着物質が充填された図４のプラグイン・モジュールの斜視図である。
【考案を実施するための形態】
【００２２】
以下図面を参照しながら本考案の衣料品ホルダーの好ましい実施態様について更に詳細に説明する。
【００２３】
図１及び図２は衣服ハンガー１００は、衣料品ホルダー又は衣料品ラックのような本考案のホルダーの一例を示す。しかし、本考案は図示された実施態様に限定されない。図１の衣服ハンガー１００は、本体１２０と、この衣服ハンガーを支持レール（図示されていない）に吊り下げるためのハンギング・ヘッド１４０からなる。本体１２０はプラスチック製であり、中央部１２２を有する。中央部１２２は、横方向に延びる２つの翼部１２４及び１２６の中間部に存在する。中央部及び横方向翼部は一体的に成形されるか又はシングルピースとして形成される。本体を形成するのに適した材料は例えば、硬質プラスチック、アルミニウム合金又は木材である。横方向に延びる翼部は衣服ハンガーの肩部を形成する。各翼部は、中央部から離れて横方向に延びるにつれて僅かに下方向に向かって傾斜している。
【００２４】
ハンギング・ヘッドは中央部の中心に取付られており、中央部から上方向に向かって垂直に延びている。ハンギング・ヘッドは彎曲されたフック部１４２を有しており、このフック部１４２は、直線状頸部１４４を介して中央部に接続されている。支持レールに吊られる彎曲フック部によりフリーに懸垂された時、翼部がヘッド部を通過する垂直線に対して概ね対称的になるように、ヘッド部は本体の重心（ＣＧ）に対して垂直である。ヘッド部は回転軸として頸部の周囲を回転できる。それにより、彎曲フック部に対する本体の角度方向を、本体とヘッド部との間の相対的回転により変化させることができる。
【００２５】
図２及び図３に更に詳細に示されるように、中央部に、かつ、ヘッド部の直下にレセプタクルが形成されている。レセプタクルはコンパートメント１２８を有する。コンパートメント１２８はプラグイン・モジュール１６０を収容するのに適合される。プラグイン・モジュールは、フラグランス又はエッセンシャル・オイルのゲル又はパッドのような芳香発散物質若しくは活性炭粉末又は竹粉末などのような悪臭吸着物質を収容するのに適合される。簡潔さのために、芳香発散物質及び悪臭吸着物質などは、特に断らない限り、一括して芳香トリートメント物質と呼ぶ。コンパートメントは、プラグイン・モジュールをぴったりと嵌め込んで収容するための形状及び寸法にされている。これにより、プラグイン・モジュールは挿入後に操作位置に止まることができ、しかも、道具を使用することなく手で挿入又は除去することができる。コンパートメントは周壁１３０により画成される。周壁１３０は、プラグイン・モジュールを着脱可能に収容するためのウインドウの外周を形成する。スルーウインドウ内腔を画成するため、ウインドウは中央部を貫通する。これにより、スルーウインドウの両主要面を芳香操作に使用できる。浅い凹所１３２，１３４が周壁の対向端部に形成されており、この凹所１３２，１３４はプラグイン・モジュールの対応端部に形成された停止部に適応する。各凹所は中央部に形成され、周壁から離れて横方向に延びる浅い棚を有する。この浅い凹所は本体を通過せず、浅い凹所の下部の本体部分による封鎖により、一対の横方向に延びる翼部を有するプラグイン・モジュールが挿入側と反対側から出て行くのを防止するように配設されている。レセプタクル内でのプラグイン・モジュールの移動を制限するようにプラグイン・モジュールの対応する停止部と相互作用させるために、浅い棚は集合的に本体の停止部を画成する。本体面下部の棚の深さは、プラグイン・モジュールの停止部の各外面が本体面と面一であるか又はこれよりも下であるようにアレンジされている。この場合、凹みの深さは中央部の厚さの約１／３である。
【００２６】
プラグイン・モジュールとの円滑な摩擦係合を高めるために、周壁はベルベットのような織物様又は摩擦性材料で被覆されているか、若しくは、分散ゴム又はシリコンドットが塗布されている。塗布又は被覆は衣服ハンガーの他の部分、特に、使用中に衣料品と接触する部分にまで延長することもできる。
【００２７】
プラグイン・モジュール１６０は本体１２０から着脱可能である。プラグイン・モジュール１６０は一体成型コンテナを有する。コンテナはハウジング（外被体）を有する。このハウジングは芳香発散物質又は悪臭吸着物質を携帯するためのコンパートメント１６２を画成する。芳香又は悪臭が通過できるようにするため、コンテナの主要面１６４，１６６に分散穿孔が形成されている。プラグイン・モジュールが本体のレセプタクル内に適正に収容されたときに、コンテナの穿孔面が露出されるように、コンテナは造形され、かつ、配列される。更に具体的には、悪臭吸着又は芳香発散エリアを大きくするために、穿孔面は外方向に対面している。図３及び図３Ａに示されたコンテナは例えば、透明なプラスチック製である。このため、レセプタクルに実装中、プラグイン・モジュール内に格納されている悪臭吸着物質又は芳香発散物質の残量を肉眼で点検し、かつ、モニターすることができる。芳香トリートメント物質の再充填、補充又は交換を可能にするため、コンテナには開閉可能な蓋が取り付けられている。
【００２８】
図４、４Ａ及び４Ｂに示されるように、横方向に延びるタブ１７２がコンテナのトップカバーに形成されている。使用者が指先でこのタブを摘むことにより、コンテナの蓋を開閉したり、レセプタクルの適所にコンテナを押入又は圧入させることができる。なお、このタブは、挿入後にレセプタクルを通してコンテナが前進することを制限するための本体上の棚と相互作用する停止部も形成する。更に、この蓋は細長いヒンジ１７４によりハウジングに接続されている。細長ヒンジはハウジングに成型され、ハウジングから横方向外方へ突き出ている。なお、この細長ヒンジはプラグイン・モジュールに別の停止部を形成する。細長ヒンジ及びタブはプラグイン・モジュールの対向主要面に存在するので、均衡された停止配列構成を提供するために、プラグイン・モジュールの対向主要面にも停止部が配置されている。
【００２９】
衣料品との接触損傷を軽減するために、プラグイン・モジュールがレセプタクル内の適所に配置された時、プラグイン・モジュールの主要面又は穿孔面が衣服ハンガーの本体の表面と面一となるか又は本体面よりも下になるように、プラグイン・モジュールの全体厚さをアレンジしなければならない。
【００３０】
使用する場合、レセプタクルによる相応な保持力を確保するため、使用者は芳香トリートメント物質が充填されたプラグイン・モジュールをレセプタクル内に挿入し、本体に対してしっかりとプラグイン・モジュールを圧入させる。衣服ハンガーにより支持された衣料品の調子を整えるために、プラグイン・モジュールのコンパートメント内の芳香トリートメント物質は、プラグイン・モジュールの主要面の穿孔を介して芳香を発散するか又は悪臭を吸着する。
【００３１】
プラグイン・モジュールを取り除かなければならない場合、使用者はタブ部に指先を当て、タブを傾け、そしてプラグイン・モジュールを持ち上げ、プラグイン・モジュールをハンガー本体から取り除く。次いで、除去後、使用者は芳香トリートメント物質を再充填、補充又は交換し、そして、このプラグイン・モジュールをレセプタクルに戻す。別法として、使用者は使用済プラグイン・モジュールを単に取り除き、そして、別のプラグイン・モジュールと交換するか、若しくは、所望により、交換すること無く、使用済プラグイン・モジュールを廃棄することもできる。
【００３２】
タブ及び細長ヒンジは停止部としても機能するが、普遍性を損なうことなく、追加の停止部又は別の停止部をプラグイン・モジュールに形成させることもできる。更に、本体のウインドウを塞ぐことが望まし場合、プラグイン・モジュールは芳香トリートメント物質を含まないこともできる。
【００３３】
漏洩又は漏出を軽減するために、芳香物質は、ワックス、ゲル又は圧縮ブロック形状に均質化させることができる。別法として、芳香物質は吸着パッドに格納させることもできる。更に別法として、プラグイン・モジュールの主要面又は外方配向面を、悪臭又は芳香が通過可能な多孔質材料で形成することもできる。更に他の別法として、プラグイン・モジュールを芳香トリートメント物質自体で形成することもできる。この場合、プラグイン・モジュールは芳香トリートメント物質のプラグインカプセルからなる。カプセル形状の場合、停止部はカプセルの一部として一体的に成形させることができる。
【００３４】
図示された実施態様は矩形のコンテナであるが、コンテナは、普遍性を損なうことなく、円筒形、多角形又は三角形などの任意の形状を採用することができる。更に、プラグイン・モジュールは透明なプラスチック製に限らず、その性能に悪影響を及ぼすことなく、他の材料で形成することもできる。
【００３５】
以上の説明は、本考案の一実施例に関するもので、この技術分野の当業者であれば、本考案の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するために用いてはならない。また、同一番号でも明細書と実用新案登録請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００３６】
１００  衣服ハンガー
１２０  本体
１２２  中央部
１２４  翼部
１２６  翼部
１２８  ウインドウ・コンパートメント
１３０  周壁
１３２  浅い凹所
１３４  浅い凹所
１４０  ハンギングヘッド部
１４２  彎曲フック部
１４４  直線状頸部
１６０  プラグイン・モジュール
１６２  コンパートメント
１６４  主要面
１６６  主要面
１７２  タブ
１７４  ヒンジ
【図１】
0003188800.tif 000003
【図２】
0003188800.tif 000004
【図２Ａ】
0003188800.tif 000005
【図３】
0003188800.tif 000006
【図３Ａ】
0003188800.tif 000007
【図４】
0003188800.tif 000008
【図４Ａ】
0003188800.tif 000009
【図４Ｂ】
0003188800.tif 000010
【図５】
0003188800.tif 000011
【図６】
0003188800.tif 000012
【図７】
0003188800.tif 000013
【手続補正書】
【提出日】平成25年10月16日(2013.10.16)
【手続補正３】
【補正対象書類名】実用新案登録請求の範囲
【補正対象項目名】全文
【補正方法】変更
【補正の内容】
【実用新案登録請求の範囲】
【請求項１】
衣料品を支持するための本体と、
芳香トリートメント物質を携帯するプラグイン・モジュールとからなり、
前記芳香トリートメント物質は、芳香を発散するか又は悪臭を吸着するのに適合しており、
前記プラグイン・モジュールは、周囲に芳香を発散させるのに、又は周囲環境から悪臭を吸着するのに適合している、
ことを特徴とする衣服又は衣料品を保持するためのホルダー。
【請求項２】
前記本体は、レセプタクルを有し、
前記レセプタクルは、前記プラグイン・モジュールを着脱可能に収容するためのウインドウ・コンパートメントを有する、
ことを特徴とする請求項１記載のホルダー。
【請求項３】
前記ウインドウ・コンパートメントは、前記本体を通して延びており、
前記レセプタクルは、前記プラグイン・モジュールがレセプタクルにより収容されたときに、前記プラグイン・モジュールの背中合わせの主要面が外方向に対面するように構成されており、
前記背中合わせの主要面は、プラグイン・モジュールから芳香が発散される面又はプラグイン・モジュールにより悪臭が吸着される面である、
ことを特徴とする請求項２記載のホルダー。
【請求項４】
前記プラグイン・モジュールは、前記芳香トリートメント物質が内部に格納されるコンテナを有し、芳香発散又は悪臭吸着を可能にするために、前記コンテナの少なくとも一つの外方向に対面する主要面が穿孔されている、
ことを特徴とする請求項１−３の何れかに記載のホルダー。
【請求項５】
前記プラグイン・モジュールの背中合わせに対面する主要面が穿孔されている、
ことを特徴とする請求項４記載のホルダー。
【請求項６】
前記芳香物質が、固形又は半固形ゲル、ワックス若しくはパッド形である、
ことを特徴とする請求項４又は５記載のホルダー。
【請求項７】
前記本体及びプラグイン・モジュールは、対応する停止部を有し、
前記対応する停止部は、前記本体に対するプラグイン深さを制限するために相互作用するように構成されている、
ことを特徴とする請求項１−６の何れかに記載のホルダー。
【請求項８】
前記プラグイン・モジュールは、有蓋コンテナと第１の停止部を有し、
前記第１の停止部は、前記コンテナの蓋から離れて横方向に突き出ているタブを有する、
ことを特徴とする請求項７記載のホルダー。
【請求項９】
前記有蓋コンテナは、ヒンジを有し、
前記蓋は、前記ヒンジの周囲を開状態と閉状態との間で稼働可能であり、
前記ヒンジは、コンテナから離れて横方向に突き出ており、前記プラグイン・モジュールの第２の停止部を形成する、
ことを特徴とする請求項８記載のホルダー。
【請求項１０】
前記ヒンジは、細長く、前記コンテナに一体的に成型されている、
ことを特徴とする請求項９記載のホルダー。
【請求項１１】
前記本体上の停止部は、湾入され、かつ、凹所を画成し、
前記凹所は、前記プラグイン・モジュール上の停止部を相補的に収容するように造形されている、
ことを特徴とする請求項７−１０の何れかに記載のホルダー。
【請求項１２】
前記凹所の深さは、前記プラグイン・モジュールが前記レセプタクルにより収容されたときに、前記プラグイン・モジュールの停止部が本体の面と面一であるか又はそれよりも低いような深さである、
ことを特徴とする請求項１１記載のホルダー。
【請求項１３】
前記本体の停止部は、前記レセプタクルのウインドウ・コンパートメントと連通しており、かつ、前記ウインドウ・コンパートメントから横方向に延びている
ことを特徴とする請求項１０又は１１記載のホルダー。
【請求項１４】
前記レセプタクルのウインドウ・コンパートメントは、前記プラグイン・モジュールを摩擦力で保持するのに適合する、
ことを特徴とする請求項２−１３に記載のホルダー。
【請求項１５】
前記ウインドウ・コンパートメントは、周壁により画成され、
前記周壁は、前記プラグイン・モジュールを摩擦力で保持するための軟質の摩擦性材料で塗布又は被覆されている、
ことを特徴とする請求項１４記載のホルダー。
【請求項１６】
前記プラグイン・モジュールは、カプセルとして配置され、
前記カプセルは、芳香発散物質又は悪臭吸着物質を携帯するのに適合する、
ことを特徴とする請求項１−１５の何れかに記載のホルダー。
【請求項１７】
前記ホルダーは、バーにハンガーを引っ掛けるためのフックと、衣料品を保持するための一対の横翼とからなる衣服ハンガーである、
ことを特徴とする請求項１−１６の何れかに記載のホルダー。
【請求項１８】
前記レセプタクルは、前記フックの直下部、及び横翼の中間部に配置されている、
ことを特徴とする請求項１７記載のホルダー。
【請求項１９】
前記レセプタクルは、前記本体の対称軸上又は重心上に配置されている、
ことを特徴とする請求項１７又は１８記載のホルダー。
【請求項２０】
衣服ハンガー又は衣料品ホルダーと共に使用するための芳香トリートメント物質を携帯するプラグイン・モジュールであり、
前記プラグイン・モジュールは、前記衣服ハンガー又は衣料品ホルダーのレセプタクルにスナップ嵌め取付するのに適合する、
ことを特徴とするプラグイン・モジュール。
【請求項２１】
停止部がプラグイン・モジュールに形成されており、
前記停止部は、前記レセプタクルへの移動深さを制限するために、前記衣服ハンガー又は衣料品ホルダーのレセプタクルの対応する停止部と相互作用するのに適合する、
ことを特徴とする請求項２０記載のプラグイン・モジュール。
【請求項２２】
前記停止部のうちの一つは、前記プラグイン・モジュールがレセプタクルに実装されたときに、前記レセプタクルからのプラグイン・モジュールの除去を容易にするために、使用者の指先を係合させるのに適合するタブである、
ことを特徴とする請求項２１記載のプラグイン・モジュール。
【請求項２３】
前記停止部のうちの一つは、前記プラグイン・モジュール上の細長いヒンジである、
ことを特徴とする請求項２１又は２２記載のプラグイン・モジュール。
【請求項２４】
前記プラグイン・モジュールは、芳香トリートメント物質が充填されたコンテナを有し、
前記コンテナは、周囲に芳香を発散させるため、又は周囲から悪臭を吸着するために穿孔されている、
ことを特徴とする請求項２０−２３の何れかに記載のプラグイン・モジュール。
【請求項２５】
前記コンテナは有蓋であり、指先係合タブは前記蓋の側端に形成されている、
ことを特徴とする請求項２３又は２４記載のプラグイン・モジュール。